(57)【要約】    【課題】  撮影不能期間を飛躍的に短縮することができる撮像装置、撮像方法及び撮像装置用プログラムを提供する。    【解決手段】  物理的に独立した記憶媒体を複数個装着可能なデジタルカメラにおいて、画像データを複数の記憶媒体に同時に並列書き込み又は読み出しを行う。また、複数の記憶媒体とこれらを装着する複数のスロットとの関係を管理し、記憶媒体と、これを装着するスロットとの組み合わせを間違えた場合でも、画像表示又は音声出力により警告する。記憶媒体と、これを装着するスロットとの組み合わせを間違えた場合でも、書き込みシーケンスの変更処理、即ち高速記録モードの記録順序が現在装着されている各記憶媒体のスロットＩＤに適合するように変更される。【選択図】      図７
2005175840.tif 000002
【特許請求の範囲】
【請求項１】
物理的に独立した着脱可能な複数の記憶手段と、
撮影画像の画像データを複数個の並列データに分散する分散手段と、
前記分散された撮影画像の画像データを前記複数の記憶手段に対して、同時に読み書きするための制御手段とを備えることを特徴とする撮像装置。
【請求項２】
少なくとも２つ以上のチャンネルで１フレームの撮影画像の画像データを出力するイメージセンサ手段と、
物理的に独立した着脱可能な複数の記憶手段と、
前記イメージセンサ手段の複数の出力チャンネルを前記記憶手段の数に応じて、任意のチャンネル数に多重化する多重化手段と、
前記多重化手段により多重化されたチャンネルから出力される撮影画像の画像データを前記複数の記憶手段に対して同時に書き込むと共に前記複数の記憶手段に記憶された撮影画像の画像データを同時に読み出す読み書き手段と
を備えることを特徴とする撮像装置。
【請求項３】
前記読み書き手段は、前記記憶手段に対して撮影画像の画像データの記録を最後に行った撮像装置を識別するための撮像装置識別情報と、前記撮影画像の画像データの記録を最後に行った時点で前記記憶手段が装着されていたスロットを識別するためのスロット識別情報と、前記記憶手段に対して前記撮影画像の画像データの記録を最後に行った撮像装置が前記記憶手段に対して行った記録モードを識別するための記録モード情報と、前記撮影画像の画像データの記録を最後に行った撮像装置で、同時に撮影画像の画像データの記録が行われた記憶手段であることを示すグループ情報とを前記複数の記憶手段のそれぞれの任意に定められたアドレス空間に書き込み及び該アドレス空間からの読み出しを実行することを特徴とする請求項２記載の撮像装置。
【請求項４】
前記複数の記憶手段のそれぞれに記憶されている前記記録モード情報及び前記グループ情報が前記複数の記憶手段でそれぞれ互いに一致しているか否かを判別する判別手段と、前記判別手段により前記記録モード情報及び前記グループ情報の少なくともいずれか一方が前記複数の記憶手段の少なくとも１つで一致しない場合に、警告を画像表示又は音声出力する警告手段とを備えることを特徴とする請求項３記載の撮像装置。
【請求項５】
前記撮像装置識別情報、前記スロット識別情報、前記記録モード情報及び前記グループ情報の少なくともいずれか１つが前記複数の記憶手段の少なくともいずれか１つの任意に定められたアドレス空間に書き込まれていない場合には、前記警告手段が警告を画像表示又は音声出力することを特徴とする請求項４記載の撮像装置。
【請求項６】
前記複数の記憶手段のそれぞれに記憶されている前記スロット識別情報に基づいて各記憶手段が装着されるべき各スロットに装着されているか否かを判別するスロット装着判別手段と、前記各記憶手段が装着されるべき各スロットに装着されていない場合には、前記撮影画像の画像データの記録順序を現在スロットに装着されている各記憶手段の前記スロット識別情報に適合するように変更する変更手段とを備えることを特徴とする請求項３乃至５のいずれか１項記載の撮像装置。
【請求項７】
前記各記憶手段が装着されるべき各スロットに装着されていない場合には、前記各記憶手段が装着されるべき各スロットに装着されるように前記各記憶手段の装着をやり直しするか、又は前記撮影画像の画像データの記録順序を現在スロットに装着されている各記憶手段の前記スロット識別情報に適合するように変更するかを選択する選択手段を備えることを特徴とする請求項６記載の撮像装置。
【請求項８】
前記複数の記録手段に対して前記撮影画像の画像データを同時に並列的に読み書きする高速モード又は前記複数の記録手段をそれぞれ単体で使用する通常モードのいずれか１方を選択するモード選択手段を備えることを特徴とする請求項２乃至７のいずれか１項記載の撮像装置。
【請求項９】
物理的に独立した着脱可能な複数の記憶手段を備える撮像装置の撮像方法において、
前記撮像装置で撮影された撮影画像の画像データを複数個の並列データに分散する分散工程と、
前記分散された撮影画像の画像データを前記複数の記憶手段に対して、同時に読み書きするための制御工程とを備えることを特徴とする撮像方法。
【請求項１０】
少なくとも２つ以上のチャンネルで１フレームの撮影画像の画像データを出力するイメージセンサ手段と、物理的に独立した着脱可能な複数の記憶手段とを備える撮像装置の撮像方法において、
前記イメージセンサ手段の複数の出力チャンネルを前記記憶手段の数に応じて、任意のチャンネル数に多重化する多重化工程と、
前記多重化工程により多重化されたチャンネルから出力される撮影画像の画像データを前記複数の記憶手段に対して同時に書き込むと共に前記複数の記憶手段に記憶された撮影画像の画像データを同時に読み出す読み書き工程と
を備えることを特徴とする撮像方法。
【請求項１１】
物理的に独立した着脱可能な複数の記憶手段を備える撮像装置で実行される撮像装置用プログラムにおいて、
前記撮像装置で撮影された撮影画像の画像データを複数個の並列データに分散する分散モジュールと、
前記分散された撮像データを前記複数の記憶手段に対して、同時に読み書きするための制御モジュールとを備えることを特徴とする撮像装置用プログラム。
【請求項１２】
少なくとも２つ以上のチャンネルで１フレームの撮影画像の画像データを出力するイメージセンサ手段と、物理的に独立した着脱可能な複数の記憶手段とを備える撮像装置で実行される撮像装置用プログラムにおいて、
前記イメージセンサ手段の複数の出力チャンネルを前記記憶手段の数に応じて、任意のチャンネル数に多重化する多重化モジュールと、
前記多重化モジュールにより多重化されたチャンネルから出力される撮影画像の画像データを前記複数の記憶手段に対して同時に書き込むと共に前記複数の記憶手段に記憶された撮影画像の画像データを同時に読み出す読み書きモジュールと
を備えることを特徴とする撮像装置用プログラム。
【発明の詳細な説明】
【技術分野】
【０００１】
本発明は、着脱可能な記憶媒体を複数使用する撮像装置（デジタルカメラ、デジタルビデオカメラ、カメラ付き携帯電話などの装置であって、撮影画像の画像データを生成し、生成した画像データを記憶媒体に保存する機能を有する装置）、撮像方法及び撮像装置用プログラムに関する。
【背景技術】
【０００２】
特許文献１には、複数の記憶媒体の装着が可能なカメラの一例が提案されている。特許文献１に記載のカメラでは、撮影画像の画像データを複数の記憶媒体の中から選択された１つの記憶媒体に記録することができる。
【特許文献１】特開平５−９１４５５号公報
【発明の開示】
【発明が解決しようとする課題】
【０００３】
特許文献１に記載のデジタルカメラでは、撮影画像の画像データを複数の記憶媒体の中から選択された１つの記憶媒体に記録することしかできない。そのため、画像データの書き込みに要する時間が長くなり、次の画像の撮影ができなくなる期間が発生しやすくなるという問題がある。この問題は、画素数の大きい画像を撮影する場合に頻繁に発生する問題である。
【０００４】
本発明は、かかる問題点を鑑みてなされたものであり、撮影不能期間を飛躍的に短縮することができる撮像装置、撮像方法及び撮像装置用プログラムを提供することを目的とする。
【課題を解決するための手段】
【０００５】
本発明の撮像装置の一つは、物理的に独立した着脱可能な複数の記憶手段と、撮影画像の画像データを複数個の並列データに分散する分散手段と、前記分散された撮影画像の画像データを前記複数の記憶手段に対して、同時に読み書きするための制御手段とを備えることを特徴とする。
【０００６】
本発明の撮像装置の一つは、少なくとも２つ以上のチャンネルで１フレームの撮影画像の画像データを出力するイメージセンサ手段と、物理的に独立した着脱可能な複数の記憶手段と、前記イメージセンサ手段の複数の出力チャンネルを前記記憶手段の数に応じて、任意のチャンネル数に多重化する多重化手段と、前記多重化手段により多重化されたチャンネルから出力される撮影画像の画像データを前記複数の記憶手段に対して同時に書き込むと共に前記複数の記憶手段に記憶された撮影画像の画像データを同時に読み出す読み書き手段とを備えることを特徴とする。
【０００７】
本発明の撮像方法の一つは、物理的に独立した着脱可能な複数の記憶手段を備える撮像装置の撮像方法において、前記撮像装置で撮影された撮影画像の画像データを複数個の並列データに分散する分散工程と、前記分散された撮影画像の画像データを前記複数の記憶手段に対して、同時に読み書きするための制御工程とを備えることを特徴とする。
【０００８】
本発明の撮像方法の一つは、少なくとも２つ以上のチャンネルで１フレームの撮影画像の画像データを出力するイメージセンサ手段と、物理的に独立した着脱可能な複数の記憶手段とを備える撮像装置の撮像方法において、前記イメージセンサ手段の複数の出力チャンネルを前記記憶手段の数に応じて、任意のチャンネル数に多重化する多重化工程と、前記多重化工程により多重化されたチャンネルから出力される撮影画像の画像データを前記複数の記憶手段に対して同時に書き込むと共に前記複数の記憶手段に記憶された撮影画像の画像データを同時に読み出す読み書き工程とを備えることを特徴とする。
【０００９】
本発明の撮像装置用プログラムの一つは、物理的に独立した着脱可能な複数の記憶手段を備える撮像装置で実行される撮像装置用プログラムにおいて、前記撮像装置で撮影された撮影画像の画像データを複数個の並列データに分散する分散モジュールと、前記分散された撮影画像の画像データを前記複数の記憶手段に対して、同時に読み書きするための制御モジュールとを備えることを特徴とする。
【００１０】
本発明の撮像装置用プログラムの一つは、少なくとも２つ以上のチャンネルで１フレームの撮影画像の画像データを出力するイメージセンサ手段と、物理的に独立した着脱可能な複数の記憶手段とを備える撮像装置で実行される撮像装置用プログラムにおいて、前記イメージセンサ手段の複数の出力チャンネルを前記記憶手段の数に応じて、任意のチャンネル数に多重化する多重化モジュールと、前記多重化モジュールにより多重化されたチャンネルから出力される撮影画像の画像データを前記複数の記憶手段に対して同時に書き込むと共に前記複数の記憶手段に記憶された撮影画像の画像データを同時に読み出す読み書きモジュールとを備えることを特徴とする。
【発明の効果】
【００１１】
本発明によれば、撮影画像の画像データを複数の記憶手段に同時に読み書きを行うので、使用可能な記憶媒体の数に反比例して、撮影画像の画像データの書き込み又は読み出しに要する時間を短縮することが可能となり、撮影と撮影の間に存在する撮影不能期間を飛躍的に短縮することができる。
【発明を実施するための最良の形態】
【００１２】
以下、本発明の実施の形態を、図面を参照しつつ説明する。なお、本実施の形態では、デジタルカメラ、デジタルビデオカメラ、カメラ付き携帯電話などの装置であって、撮影画像の画像データを生成し、生成した画像データを記憶媒体に保存する機能を有する装置を撮像装置と呼ぶ。
【００１３】
図１は、本発明の実施の形態に係る撮像装置の概略構成を示す図であり、この図を用いて複数の記憶媒体に１フレームの撮像画像の画像データを書き込むシーケンスを説明する。
本実施の形態では、撮像装置がデジタルカメラであり、物理的に独立した記憶媒体を４個装着することができる場合を説明する。
【００１４】
デジタルカメラは、デジタルカメラに設けられた独立したスロットに装着されている４個の記憶媒体１０１〜１０４と、４ｃｈの画像データを１ｃｈの画像データにマルチプレクス（多重化）するマルチプレクサを含む画像処理部１０５と、４ｃｈの画像データのそれぞれを増幅するバッファアンプ１０６と、イメージセンサ１０７と、制御部１０８とを備えている。デジタルカメラは物理的に独立した記憶媒体が最大４個装着可能な仕様である。
【００１５】
画像処理部１０５に含まれるマルチプレクサは、４ｃｈの画像データを２ｃｈの画像データにマルチプレクス（多重化）するものであってもよい。
【００１６】
図２（ａ）は記憶媒体１０１の、図２（ｂ）は記憶媒体１０２の、図３（ａ）記憶媒体１０３の、図３（ｂ）は記憶媒体１０４のそれぞれの内部構成（アドレスとデータの関係）の一例を示す図である。
【００１７】
図２，３において、Data（Ｓ，Ｔ）の意味は、「Data」が画像データであることを表し、「Ｓ」は１フレームのラインアドレスを表し（図４参照）、「Ｔ」が１フレームの水平アドレス（図４参照）を表す。
【００１８】
図１のイメージセンサ１０７は４ｃｈの画像データを出力する方式であり、出力された画像データは、バッファアンプ１０６を介して、画像処理部１０５へ入力される。
【００１９】
画像処理部１０５へ入力された画像データ（４ｃｈ）は、ユーザのモード選択指示に応じて、制御部１０８の制御により、処理内容が決定される。
【００２０】
ユーザのモード選択肢としては、下記２つのモードが存在する。
【００２１】
１）ノーマルモード（従来通りの記憶モード）
２）ハイスピードモード（同時・並列書き込みモード）
ユーザによりノーマルモードが選択された場合は、画像処理部１０５は、1)４ｃｈの画像データを１ｃｈの画像データに多重化（１フレームの撮像画像の画像データを構成）し、2)必要に応じてリサイズ（画像サイズの拡大、縮小）し、3)圧縮（JPEG等）の処理を行った後、一つの記憶媒体（記憶媒体１０１〜１０４のいずれか）へ記録する。一般的にはラスタースキャンの順序で記録される。
【００２２】
一方、ユーザによりハイスピードモードが選択された場合は、画像処理部１０５は、5)４ｃｈの画像データを１ｃｈの画像データに多重化（１フレームの撮像画像の画像データを構成）し、6)必要に応じてリサイズ（画像の拡大、縮小）し、7)圧縮（JPEG等）し、8)同時並列記録による複数の記憶媒体（記憶媒体１０１〜１０４の全て）への書き込み処理を行う。
【００２３】
ハイスピードモードで使用した各記憶媒体は、次回同一のデジタルカメラにて同様にハイスピードモードで書き込みを行う場合には、前回装着されていたデジタルカメラの同一のスロットに装着する必要がある。
【００２４】
ここで、同時並列記録による複数の記憶媒体への書き込み処理の一例を図４を用いて説明する。
【００２５】
図４は、画像データを記憶媒体１０１〜１０４へ書き込みときのシーケンスを示す概念図である。
【００２６】
イメージセンサ１０７のサイズは、水平方向が４０９６画素で構成され、垂直方向が２０４８ラインで構成される。
【００２７】
同時並列記録の仕様は様々あり得るが、本実施の形態では、ラインアドレス毎に前記４個の記憶媒体に同時記録する方式について説明する。
【００２８】
制御部１０８は、ラインアドレス０ｘ０００の画像データを記憶媒体１０１へ、ラインアドレス０ｘ００１の画像データを記憶媒体１０２へ、ラインアドレス０ｘ００２の画像データを記憶媒体１０３へ、ラインアドレス０ｘ００３の画像データを記憶媒体４へそれぞれ、同時に記録するように画像処理部１０５を制御する。以下同様にして、４個の記憶媒体に対して１０４ラインのデータが同時かつ並列に記録されるように制御する。従って、制御部１０８は、ラインアドレス毎に画像データを分離して各記憶媒体へ記憶させるように画像処理部を制御する。これにより、従来のように、１つの記憶媒体にラスタースキャンの順序で記録する方式に対して、４倍の速度で記録可能となる。
【００２９】
本実施の形態に限らず、本発明による記録方式を採用することにより、記憶媒体の数をＸ個とすると、記録速度は、Ｘ倍（時間的には１／Ｘ）とすることが可能となる。
【００３０】
図５は、記憶媒体１０１のより詳細なメモリマップを示す図である。尚、このメモリマップは記憶媒体は１０１以外のものも同様である。
【００３１】
記憶媒体１０１は、前回撮影時のデジタルカメラを識別するためのカメラＩＤ３０１、装着されていたスロット番号を識別するためのスロットＩＤ３０２、前回撮影時の記録モード３０３、及び、前回撮影時に同時に使用された記憶媒体であることを識別するためのグループＩＤ３０４を記憶するためのアドレスを備えている。このアドレスは任意に定められるものである。従って、記憶媒体１０１〜１０４はいずれも、これらのアドレスを備えているが、具体的なアドレス番号は記憶媒体間で異なる場合がある。例えば、記憶媒体１０１のカメラＩＤ３０１のアドレスが０ｘ０００１０であり、記憶媒体１０２のカメラＩＤのアドレスが０ｘ０００１２のような場合である。
【００３２】
また、図５に示した４個のＩＤ（ヘッダ情報）に対して割り振られたバイト数は、一例として示したもので、基本的に任意である。ヘッダ情報は、制御部１０８が管理し、撮影毎に適宜書き換えを行う機能を具備している。
【００３３】
カメラＩＤ３０１は、３バイトのデジタルカメラ固有のＩＤであるが、同一仕様の製品は、同一のＩＤとなる。例えば、Ｃ社のＸＸＸという型番の製品は、同一のＩＤを持つことになる。
【００３４】
スロットＩＤ３０２は、デジタルカメラ毎に装備されたスロットに初期値「１」から装備されたスロット数に応じてインクリメントされる値である。
【００３５】
したがって、スロットを４個装備するデジタルカメラの場合に、割り振られるスロットＩＤは、１，２，３，４ということになるが、物理的なスロットに対する実際のＩＤの割り振りは任意である。
【００３６】
但し、基本的に複数のスロットを装備するデジタルカメラにおけるスロットＩＤ＝１は、後述する記録モードがノーマルの場合に、最初に記憶媒体として選択されるスロットと一致すべきであり、ＩＤ＝２以下は、選択される記憶媒体の優先順位と一致すべきである。
【００３７】
次に、記録モード３０３には、1)０ｘ０１＝ノーマル記録モード、2)０ｘ０２＝高速記録モードの２種類があり、前記2)の高速記録モードは、複数の記憶媒体に対して同時並列記録することによる高速記録を実現するモードである。
【００３８】
したがって、前記2)の高速記録モードは、記憶媒体が少なくとも２個以上装着されていない時は、図１の制御部１０８の制御により選択不可となっている。
【００３９】
次に、グループＩＤ３０４は、高速記録モードで行われた撮影時に、デジタルカメラに装着されていた記憶媒体の組合せに対して、決定されるユニーク・コードである。
【００４０】
したがって、任意のデジタルカメラにおいて、装着されている記憶媒体の全てのカメラＩＤ３０１、スロットＩＤ３０２及び記録モード３０３が同一であっても、グループＩＤ３０４が異なっている場合は、前回の撮影時に使用された記憶媒体の組合せではないことになる。
【００４１】
以上説明したように、物理的に独立した複数の記憶媒体を使用して実現される高速記録モードでは、次回以降の撮影においても、記憶媒体とデジタルカメラのスロットとの組合せは、新規の記憶媒体を使用する場合、及び既存の記録を破棄（フォーマット）して使用する場合を除いて、前回撮影時と全く同一である必要がある（図６（Ａ）参照）。図６は、デジタルカメラの４個のスロットに装着された各記憶媒体のヘッダ情報を示す図であり、（Ａ）は各記憶媒体が装着されるべき各スロットに装着された場合の各記憶媒体のヘッダ情報を示し、（Ｂ）はスロットＩＤ３０２が現在装着されているデジタルカメラのスロットと一致しない場合の各記憶媒体のヘッダ情報を示し、（Ｃ）は各記憶媒体のグループＩＤ同士が一致しない場合の各記憶媒体のヘッダ情報を示し、（Ｄ）は、各記憶媒体のカメラＩＤ、記録モード及びグループＩＤ同士の全てが一致しない場合の各記憶媒体のヘッダ情報を示す。
【００４２】
これら４個のコードで構成されるヘッダ情報を図１の制御部１０８が管理し、カメラＩＤ、記録モード及びグループＩＤのいずれかが一致しない場合（図６（Ｃ），（Ｄ））は、警告メッセージの表示や音声による警告を発生して、これらの組合せが誤りであることをユーザに知らせる機能を持っている。
【００４３】
更にフェイル・セーフ機能として、前記ヘッダ情報が不一致の記憶媒体の組合せの場合、図１の制御部１０８の制御により、ユーザがフォーマット（既存のデータ破棄）、又は撮影モードをノーマルに選択する等の操作を行うまで、撮影不能となる。
【００４４】
唯一の例外として、カメラＩＤ３０１、記録モード３０３、グループＩＤ３０４が同一で、スロットＩＤ３０２が現状装着されているデジタルカメラのスロットと一致しない場合（図６（Ｂ）参照）は、図１の制御部１０８の制御により、高速記録モードの記録順序を現在装着されている記憶媒体のスロットＩＤに適合するように変更する。これにより、ユーザに記憶媒体の装着順序の変更作業を強いることなく撮影が可能となっており、ユーザは、記憶媒体のグループＩＤは管理する必要はあるが、装着の順序まで管理する必要はない。
【００４５】
図７は、制御部１０８が実行する記憶媒体に記録されたヘッダ情報の管理処理の一例を示すフローチャートである。
【００４６】
任意のデジタルカメラに複数の記憶媒体が装着され、かつ高速記録モードが選択されたことを検知すると、当該装着された全記憶媒体の記録モードが互いに一致するか否か判別する（ステップＳ５０１）。
【００４７】
ステップＳ５０１において、当該装着されている全記憶媒体の記録モードが一致しない場合は、警告メッセージ（文字表示、音声出力等）を出力する（ステップＳ５０６）と共に、ユーザに対して、新たに記録モードの選択を要求する（ステップＳ５０７）。ユーザが記録モードを選択した場合には、ユーザが選択した記録モードを反映した形で、前記装着されている全記憶媒体の記録モード及びグループＩＤを書き換える（ステップＳ５０８）。但し、ユーザが記録モードとしてノーマルモードを選択した場合は、ノーマル記録を行う記憶媒体のみ書き換える。
【００４８】
前記記録モードとグループＩＤの書き換えが終了した後、ステップＳ５０３に処理を移行する。
【００４９】
一方、ステップＳ５０１において、前記全記憶媒体の記録モード同士が一致した場合は、全記憶媒体のグループＩＤ３０４同士が一致するか否かを判別し（ステップＳ５０２）、全記憶媒体のグループＩＤ３０４同士が一致しない場合は、上記ステップＳ５０６に進む。
【００５０】
一方、ステップＳ５０２において、全記憶媒体のグループＩＤ３０４同士が一致している場合には、全記憶媒体の各スロットＩＤ３０２から各記憶媒体が装着されるべきスロットに装着されているか否かを判別し（ステップＳ５０３）、各記憶媒体が装着されるべきスロットに装着されていない場合には、書き込みシーケンスが全記憶媒体の各スロットＩＤに適合するように、書き込みシーケンスの変更処理を行う（ステップＳ５０５）。即ち、高速記録モードの記録順序を現在装着されている各記憶媒体のスロットＩＤに適合するように変更する。
【００５１】
一方、ステップＳ５０３において、各記憶媒体が装着されるべきスロットに装着する場合には、前記装着されている全記憶媒体のカメラＩＤ３０４同士が一致するか否かを判別し（ステップＳ５０４）、前記装着されている全記憶媒体のカメラＩＤ３０４同士が一致しない場合は、全記憶媒体のカメラＩＤ３０４を現在記憶媒体が装着されているデジタルカメラのカメラＩＤに書き換え、カメラＩＤの書き換え（更新）を行った旨のメッセージを出力して（ステップＳ５０９）、本処理を終了する一方、ステップＳ５０４において、前記装着されている全記憶媒体のカメラＩＤ３０１同士が一致する場合はステップＳ５１０の処理をスキップして、本処理を終了する。
【００５２】
以上説明したように、本発明の実施の形態によれば、物理的に独立した記憶媒体を複数個装着可能なデジタルカメラにおいて、画像データを複数の記憶媒体に同時に並列書き込み又は読み出しを行うので、使用可能な記憶媒体の数に反比例して、書き込み又は読み出しに要する時間を短縮することが可能となり、撮影と撮影の間に存在する撮影不能期間を飛躍的に短縮することができる。
【００５３】
また、複数の記憶媒体とこれらを装着する複数のスロットとの関係を管理し、記憶媒体と、これを装着するスロットとの組み合わせを間違えた場合でも、画像表示又は音声出力により警告するので、大切な撮影画像の画像データを不用意に上書きしたり、削除したりする危険性を回避することができる。また、記憶媒体と、これを装着するスロットとの組み合わせを間違えた場合でも、書き込みシーケンスの変更処理、即ち高速記録モードの記録順序が現在装着されている各記憶媒体のスロットＩＤに適合するように変更されるので、ユーザに対して記憶媒体と装着するスロット位置の管理を免除することができ、使い勝手を大幅に損なうことなく、撮影不能期間の短縮を実現することが可能である。
【００５４】
図７のヘッダ情報の管理処理において、カメラＩＤ３０１、スロットＩＤ３０２、記録モード３０３及びグループＩＤ３０４の少なくともいずれか１つが記憶媒体１０１〜１０４の少なくともいずれか１つの任意に定められたアドレス空間に書き込まれていない場合には、警告を画像表示又は音声出力するようにしてもよい。
【００５５】
上記ステップＳ５０３では、全記憶媒体の各スロットＩＤ３０２から各記憶媒体が装着されるべきスロットに装着されているか否かを判別し、各記憶媒体が装着されるべきスロットに装着されていない場合には、書き込みシーケンスの変更処理を行った（ステップＳ５０５）が、各記憶媒体が装着されるべき各スロットに装着されるように各記憶媒体の装着をやり直しするか、又は書き込みシーケンスの変更処理、即ち高速記録モードの記録順序を現在装着されている各記憶媒体のスロットＩＤに適合するように変更するかを選択させるようにしてもよい。この場合、制御部１０８が選択画面をデジタルカメラの表示装置（不図示）に表示させるように制御する。
【００５６】
上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは云うまでもない。
【００５７】
この場合、記憶媒体等の媒体から読み出されたプログラムコード自体が上述した実施形態の機能を実現することになり、そのプログラムコードを記憶した記憶媒体等の媒体は本発明を構成することになる。
【００５８】
プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ、或いはネットワークを介したダウンロードなどを用いることができる。
【００５９】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは云うまでもない。
【００６０】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは云うまでもない。
【図面の簡単な説明】
【００６１】
【図１】本発明の実施の形態に係る撮像装置の概略構成を示す図である。
【図２】（ａ）は記憶媒体１０１の内部構成（アドレスとデータの関係）の一例を示す図であり、（ｂ）は記憶媒体１０２の内部構成（アドレスとデータの関係）の一例を示す図である。
【図３】（ａ）記憶媒体１０３の内部構成（アドレスとデータの関係）の一例を示す図であり、（ｂ）は記憶媒体１０４の内部構成（アドレスとデータの関係）の一例を示す図である。
【図４】画像データを記憶媒体１０１〜１０４へ書き込みときのシーケンスを示す概念図である。
【図５】記憶媒体１０１のより詳細なメモリマップを示す図である。
【図６】デジタルカメラの４個のスロットに装着された各記憶媒体のヘッダ情報を示す図であり、（Ａ）は各記憶媒体が、装着されるべき各スロットに装着された場合の各記憶媒体のヘッダ情報を示し、（Ｂ）はスロットＩＤ３０２が現在装着されているデジタルカメラのスロットと一致しない場合の各記憶媒体のヘッダ情報を示し、（Ｃ）は各記憶媒体のグループＩＤ同士が一致しない場合の各記憶媒体のヘッダ情報を示し、（Ｄ）は、各記憶媒体のカメラＩＤ、記録モード及びグループＩＤ同士の全てが一致しない場合の各記憶媒体のヘッダ情報を示す。
【図７】制御部１０８が実行する記憶媒体に記録されたヘッダ情報の管理処理の一例を示すフローチャートである。
【符号の説明】
【００６２】
１０１〜１０４  記憶媒体
１０５  画像処理部
１０６  バッファアンプ
１０７  イメージセンサ
１０８  制御部
【図１】
2005175840.tif 000003
【図２】
2005175840.tif 000004
【図３】
2005175840.tif 000005
【図４】
2005175840.tif 000006
【図５】
2005175840.tif 000007
【図６】
2005175840.tif 000008
【図７】
2005175840.tif 000009